(57)【要約】【課題】複数の伝送装置が互いにメッシュ状に接続され該複数の伝送装置のうちの所定の伝送装置を中継装置として機能させデータを中継させることでデータの伝送を行うデータ伝送制御を効果的に行い得る構成を提供することを目的とする。【解決手段】複数のデータ伝送パスの各々についてデータ伝送パスを構成する中継経路として予め複数の中継経路を設定し複数の中継経路の各々について予め所定の優先度を割り当て複数の中継経路及び所定の優先度に基づいて複数の中継経路のうち現在運用中の中継経路が使用できなくなった場合に使用すべき中継経路を決定する構成である。【選択図】図４
2009010523.tif 000002
【特許請求の範囲】
【請求項１】
複数の伝送装置が互いにメッシュ状に接続され該複数の伝送装置のうちの所定の伝送装置を中継装置として機能させデータを中継させる構成のデータ伝送を制御するデータ伝送制御方法であって、
複数のサービスのそれぞれについて設定された複数のデータ伝送パスの各々について、当該データ伝送パスを構成する中継経路として予め複数の中継経路を設定する中継経路設定段階と、
前記複数の中継経路の各々につき、予め所定の優先度を割り当てる優先度割当段階とを有し、
前記中継経路設定段階で設定された複数の中継経路及び前記優先度割当段階で割り当てられた所定の優先度に基づいて、前記複数の中継経路のうち現在運用中の中継経路が使用できなくなった場合に使用すべき中継経路が決定されてなるデータ伝送制御方法。
【請求項２】
サービスごとに実際に運用に供されている中継経路の履歴を管理する運用経路履歴管理段階と、
前記運用経路履歴管理段階によって管理されている実際に運用に供されている中継経路の履歴に基づき、サービスごとに実際に運用に供された頻度が高い中継経路を検出する高頻度運用経路検出段階とを有する請求項１に記載のデータ伝送制御方法。
【請求項３】
前記複数の伝送装置の各々についての所定の性能監視情報に基づいて各伝送装置の品質を求める装置品質取得段階と、
サービスごとに必要な要求品質を求めるサービス要求品質取得段階と、
前記装置品質取得段階で求められた伝送装置ごとの品質及びサービス品質取得段階で求められた各サービスに必要な要求品質に基づき、サービスごとにその要求品質を満足する中継経路を求める要求品質対応中継経路判断段階とを有する請求項１に記載のデータ伝送制御方法。
【請求項４】
複数の伝送装置が互いにメッシュ状に接続され該複数の伝送装置のうちの所定の伝送装置を中継装置として機能させデータを中継させる構成のデータ伝送を制御するデータ伝送制御装置であって、
複数のサービスのそれぞれについて設定された複数のデータ伝送パスの各々について、当該データ伝送パスを構成する中継経路として予め複数の中継経路を設定する中継経路設定手段と、
前記複数の中継経路の各々につき、予め所定の優先度を割り当てる優先度割当手段とを有し、
前記中継経路設定手段で設定された複数の中継経路及び前記優先度割当手段で割り当てられた所定の優先度に基づいて、前記複数の中継経路のうち現在運用中の中継経路が使用できなくなった場合に使用すべき中継経路が決定されてなるデータ伝送制御装置。
【請求項５】
サービスごとに実際に運用に供されている中継経路の履歴を管理する運用経路履歴管理手段と、
前記運用経路履歴管理手段によって管理されている実際に運用に供されている中継経路の履歴に基づき、サービスごとに実際に運用に供された頻度が高い中継経路を検出する高頻度運用経路検出手段とを有する請求項４に記載のデータ伝送制御装置。
【請求項６】
前記複数の伝送装置の各々についての所定の性能監視情報に基づいて各伝送装置の品質を求める装置品質取得手段と、
サービスごとに必要な要求品質を求めるサービス要求品質取得手段と、
前記装置品質取得手段で求められた伝送装置ごとの品質及びサービス品質取得手段で求められた各サービスに必要な要求品質に基づき、サービスごとにその要求品質を満足する中継経路を求める要求品質対応中継経路判断手段とを有する請求項４に記載のデータ伝送制御装置。
【発明の詳細な説明】
【技術分野】
【０００１】
本発明はデータ伝送制御方法及びデータ伝送制御装置に係り、特にメッシュ状に接続された複数の伝送装置を介して行うデータ伝送の中継経路を制御するためのデータ伝送制御方法及びデータ伝送制御装置に関する。
【背景技術】
【０００２】
データ伝送を担う昨今のキャリアネットワークでは加入者線のブロードバンド化とIPサービスの増加によりトラフィック量が急激に増加している。このような状況に対し、これまではネットワークのバックボーンを形成する光伝送システムを構成するWDM (波長分割多重システム)、ADM(Add-Drop多重化装置)、SDH(同期デジタルハイアラーキー装置)、専用線装置においても伝送装置の大容量化で対応してきたが、現状のネットワーク構成（リング，リニア）では限界がでてきたため、今後、効率的なネットワーク管理を目的としたメッシュ構成での運用及び、装置側での自律的なルートの設定機能の活用が望まれている。
【０００３】
ネットワークを運用管理(監視/制御)するソフトウェア(以下OpSと称する場合がある)によってメッシュ構成の運用管理を行う場合を想定すると、一のネットワークが複数のサービスに利用されることから、サービス単位での管理について以下の２点が懸念される。
・ネットワーク異常時の予備ルートの確保
・新規サービス追加のルートの確保
従来、ネットワークのバックボーンを形成する光伝送システムにおいては、提供するサービス毎に伝送装置を追加してきた。このため現状のネットワークでは主に以下の２種の構成が使用されている。
（１）リニア構成
例えば図１に示されるごとく予備回線を必要としない始点装置〜中継装置〜終点装置までを直接ネットワークとした構成とされ、予備回線を必要としないためコストは低いがネットワーク障害が発生した場合に復旧までに時間がかることとなり、その点で信頼性が比較的低い。
【０００４】
尚「中継装置」という場合、始点装置及び終点装置を含めて中継装置と称する場合がある。
（２）リング構成
例えば図２に示されるごとく冗長化を図った高信頼なネットワークを提供する構成とされ、運用系のネットワーク障害が発生した場合に予備系に切り替えて運用する。
【０００５】
図３は従来の一例の構成を説明するための図である。
【０００６】
図３中に示すごとく、ネットワーク管理者はクライアントコンピュータ１１００を直接操作することにより、サーバ１２００の機能によって後述する手順１〜４が実行され、もってサービスごとの中継経路が設定される。中継経路はネットワーク内に設けられている中継装置としての伝送装置ＴＵ１〜ＴＵ４（リング構成）によって構成される。
【０００７】
ネットワークを運用管理(監視/制御)するソフトウェアでこのようなリニア構成あるいはリング構成のパスを管理する場合、パスを構成する経路としてサービス毎に独立した経路数（リニア構成では１経路，リング構成では2経路）を管理する必要があるため、以下の機能を実装する必要がある。尚以下に記述する機能は上記リング構成を例として記述しているがリニア構成についても実装する機能は同様である。
【０００８】
提供するサービス毎に以下の手順１〜４を実行する。
【０００９】
尚下記の手順１、すなわち装置登録機能で既に登録済みの伝送装置につき、単にパッケージの追加登録を行うような場合には下記の手順２、すなわちパッケージ（図中、ＰＫＧ）登録機能から実施すればよい。
【００１０】
手順１（図３中、１２１１）：装置登録機能
提供するサービスの信号を伝送するためのルートを構成する伝送装置を、ネットワークを運用管理(監視/制御)するソフトウェアOpSの管理対象とするための登録処理であって、伝送装置とのセッション確立/ログイン処理を実行し、データベース１２５０中、装置データ１２５１として登録する。
【００１１】
手順２（図３中、１２１２）：パッケージ登録機能
各伝送装置に設けられている、提供するサービスの信号を伝送するためのインタフェースとしてのパッケージを管理対象とするための登録処理であって、ここでは伝送装置側へのパッケージインサービスの登録を行った上でデータベース１２５０中、パッケージデータ１２５２としてその旨を登録する。その結果、該当する伝送装置では所定のルートに係るパッケージが使用可能となり、もって当該伝送装置が構成するルートが実際に使用可能となる。
【００１２】
手順３（図３中、１２１３）：ネットワーク登録機能
提供するサービスの信号を通すために使用する伝送装置を管理対象とするための登録処理であって、データベース１２５０中、ネットワークデータ１２５３として登録する。
【００１３】
手順４（図３中、１２１４）：パス設定機能
提供するサービスの信号を通すために使用するパスを管理対象とするための登録処理であって、伝送装置側へのパス設定を実行し、データベース１２５０中、パス経路データ１２５４として登録する。
【特許文献１】特開平１１−２８４７２８号公報
【特許文献２】特開２００５−２７１４４号公報
【特許文献３】特開２００４−２４８１７７号公報
【発明の開示】
【発明が解決しようとする課題】
【００１４】
本発明は上記状況に鑑みてなされたものであり、メッシュ状に接続された伝送装置を中継装置として使用してデータ伝送を行うデータ伝送システムにおいて、サービスごとに設定された伝送パスを構成する中継経路の運用を効果的に行い得る構成を提供することを目的とする。
【課題を解決するための手段】
【００１５】
この目的の達成のため本発明では、複数のサービスのそれぞれについて設定された複数のデータ伝送パスの各々について、当該データ伝送パスを構成する中継経路として予め複数の中継経路を設定し、前記複数の中継経路の各々につき、予め所定の優先度を割り当て、前記設定された複数の中継経路及び前記割り当てられた所定の優先度に基づいて、前記複数の中継経路のうち現在運用中の中継経路が使用できなくなった場合に使用すべき中継経路を決定するようにした。
【００１６】
この構成では各データ伝送パスを構成する中継経路として予め複数の中継経路を設定しておくことにより、現在運用中の中継経路が何らかの要因で使用できなくなったような場合であっても、これに代わる中継経路を得ることが可能となり、データ伝送の信頼性向上が図れる。
【００１７】
又これら複数の中継経路に対し優先度を付与しておくことにより、現在運用中の中継経路が何らかの要因で使用できなくなったような場合、これに代わる中継経路として、前記優先度に応じて適用すべき中継経路を即座に得ることが可能となる。したがって運用に係る中継経路の切り替えに要する時間を最短化可能である。
【発明の効果】
【００１８】
本発明によればメッシュ状に接続された伝送装置を中継装置として使用してデータ伝送を行うデータ伝送システムにおいてサービスごとに設定された伝送パスを構成する中継経路の運用を効果的に行い得るため、データ伝送の信頼性を向上し得る。
【発明を実施するための最良の形態】
【００１９】
以下図とともに本発明の実施例に構成について詳細に説明する。
【００２０】
図４は本発明の一実施例によるデータ伝送制御方法について説明するための概念図である。
【００２１】
本実施例では、ネットワークにおけるバックボーンを形成する光伝送システムにおいて、ネットワーク内に設けられた複数の伝送装置ＴＵ１〜ＴＵ９を中継装置として使用することでデータ伝送を行う構成とされている。ここではサービスごとに設定され、当該サービスに係るデータ伝送を担う伝送パスを構成する中継経路（すなわちルート）を管理制御するための機能を提供するサーバコンピュータ２００が所定のネットワーク管理センター内に設けられている状況を想定する。
【００２２】
図４中、同じくネットワーク管理センターに設けられたクライアントコンピュータ１００が、ネットワーク管理者によって直接操作される操作端末としての機能を提供する。
【００２３】
サーバコンピュータ２００はクライアントコンピュータ１００を介してネットワーク管理者によって操作される。
【００２４】
ネットワーク構成としては上記メッシュ構成が採用されている。
【００２５】
リニア／リング構成時の運用時の従来の問題点として以下のものが考えられる。
【００２６】
すなわち、サービス毎に設定された伝送パスを構成する伝送装置が要されるためサービス追加時に伝送装置の追加が必須となる。
【００２７】
又リング構成の場合、更に冗長化のためサービス毎に予備回線が要される。
【００２８】
複数サービス提供に供する伝送パスとしての中継経路を提供するため、ネットワーク中の各伝送装置間をメッシュ状に接続する。
【００２９】
ここでは特定のサービスに対応するための固定のパス接続ではなく、複数のサービスに対応するための可変のパス接続を提供する。
【００３０】
又１サービス１予備回線ではなく、複数サービスに対応するｎ個の予備回線を用意する。
【００３１】
その結果低コスト且つ高信頼性のネットワーク構成を提供し得る。
【００３２】
すなわち本実施例ではメッシュ構成のネットワーク管理において、予め複数の中継経路を候補として設けておき、それらを使用した迂回ルートを最適なものにする機能を提供する。
【００３３】
なお以下の本発明の実施例の説明において「迂回ルート」という場合、運用中のものを含めた、各サービス（すなわち各パス）について使用可能な全てのルートを称する場合がある。
【００３４】
従来は現用ルートのみ開設し、その回線断が発生した時点で最適な迂回ルートを再計算し、迂回ルートを再設定していた。そのため回線断発生時のネットワーク状態に迂回ルートの計算結果が依存することになり、計算結果として得られる迂回ルートがどういったルートになるのかを予想することは困難であった。
【００３５】
あるいは予め現用ルートに対する迂回ルートを決めておき、リングネットワークのようにＵＰＳＲ構成のパスを設定する方法もあったが、この方法では、唯一の迂回ルートはパス開設時に設定したルートのみとなる。
【００３６】
本発明の実施例によるデータ伝送制御方法では以下の機能１〜８を設ける。尚、これら機能１〜８の全てを設けることが望ましいが、そのような構成に限られず、それらのうちから選択された何れかの一の機能のみ、あるいはいずれかの複数の機能のみを設けるようにしてもよい。
【００３７】
又、これらの機能は上記サーバコンピュータ２００に設けられる。
［機能１］
サービス毎（すなわちパス毎）に、使用するルートの始点及び終点のそれぞれの伝送装置に係る情報をパス番号として有するパス情報データ及び、サービス毎に、運用中のものを含む各迂回ルートを構成する各伝送装置に係る情報（但し上記ルートの始点及び終点のそれぞれの伝送装置に係る情報を除く）を、その優先度とともに有するパス経路優先度のデータを設け、パス異常／区間工事等の発生時に必要とされるパス迂回の際に使用されることになるパス経路（すなわち迂回ルート）を予め設定することを可能にする機能。
【００３８】
この機能によってパス単位に迂回ルート設け、その各々に対して予め優先度を付与することが可能となり、パス毎に迂回ルートを構成する各伝送装置を指定することができ、もってメッシュ構成におけるパス管理を容易になし得る。
【００３９】
すなわち異常事態の発生等の要因で現在の運用ルートが使用できなくなったような場合、それ以外の優先度の最も高い迂回ルートを即座に適用可能となる。またこの場合、何らかの要因で運用ルート以外の優先度の最も高い迂回ルートも使用不可能なような場合、次に優先度の高い迂回ルートを即座に適用可能となる。このように運用ルートが使用できなくなった場合に代替のルートを決定するのに要する時間を最短化することが可能となり、データ伝送の信頼性を効果的に向上可能となる。
［機能２］
上記パス情報データ及び、パス経路優先度データに基づいて、故障区間が生じた際に使用されることになる迂回ルートを検出する機能であって、ネットワーク管理者が検索条件として想定されるある故障区間を指定すると、その際自動的に選択されることになる迂回ルートの情報を得ることを可能にする機能。
【００４０】
この機能によってネットワーク管理者が想定される故障区間を指定することにより、当該故障が実際に生じた際に影響を受けるであろうパス及びその際に採用されるであろう迂回ルートの情報を得ることができるため、工事時にどのパスに影響があるかが事前に判断できる。
［機能３］
将来想定される新規サービスに対するパスを確保する目的で、未使用状態にしたい区間を管理するデータ（以降、区間管理データ）を設けることにより、上記パス情報データ内に区間管理データで管理している区間が含まれている場合にはそれに対する迂回ルートが自動的に検出され、当該迂回ルートに切り替えられるようにし、もって未使用状態を確保することにより、想定される新規サービスの追加時の区間（ルート）を確保することを可能にする機能。
【００４１】
この機能によりルートを確保するが可能となり、もってより多種の区間データへの対応が可能となる。
【００４２】
すなわち予め固定的に張っておきたいパスのルートを確保できる。
【００４３】
あるいは迂回用のパスを確保できる。
【００４４】
あるいは緊急時用のパスとして使用可能なものを確保できる。
【００４５】
あるいはネットワーク上にノードの割り入れを行う場合にそのためのルートを確保できる。
［機能４］
サービス毎に使用されたルートの履歴を管理するデータ（以降、パスルート履歴データ）を設けることにより、サービス毎に運用頻度の高い（信頼性の高い）迂回ルートを検出することを可能にする機能。
【００４６】
この機能により、前記機能１によって迂回ルート毎に設定された優先度と実際の運用頻度とを比較・差別化することが可能となり、もって運用ルートを運用頻度の高い迂回ルートへ切り替える処理、ルート毎の優先度の再設定処理等が行うようにネットワーク管理者が促され、もって運用実績のあるルートが優先的に使用されるようにすることが可能となる。
［機能５］
ノード（すなわち伝送装置）毎のＰＭ(Performance Monitor)情報の統計のデータ（以下ＰＭ統計データと称する）を採取し、当該データにより、ノード単位での品質を管理することを可能とし、各サービスに対応したルートを確保する場合にネットワーク管理者が必要な品質条件を指定すると、これが自動的に上記ノード単位での品質と比較され、指定に係る品質条件を満足するルートが検出され、もって限られたネットワーク資源の中からルートの割り当てが運用上効率的に行われることを可能にする機能。
【００４７】
この機能によってサービス毎に保証する品質条件とノード毎に収集される現状の品質とが比較され、現状の設備の中から、サービス毎に保証する品質を満たすルートが優先的に使用されるようにすることが可能となる。
［機能６］
上記ＰＭ統計データに基づいてノード毎に品質が劣化するに要される時間を係数として算出してデータ化（以降、品質劣化係数データ）し、現在、使用されているサービスに必要な品質以下になる時期を自動的に予測する機能。
【００４８】
この機能によってサービス毎に保証する品質が満たされなくなる時期が自動的に予測されるため、設備の保守計画作成が容易になし得る。
［機能７］
パス情報データにおいて、各パスが有する迂回ルートの数についての閾値（以下単に迂回ルート閾値と称する）の情報を追加し、新規ルートの設定あるいは迂回ルートの設定時、パス情報データ、パス経路優先度データ及び区間管理データに基づき、パス毎に実際に使用可能な迂回ルート数を得、これが迂回ルート閾値を下回った場合、ネットワーク管理者に通知する機能。
【００４９】
この機能により、仮にネットワーク上でノード変更、パスの増減設等が実施されたがその事実をネットワーク管理者が認識していなかったような場合であっても、それによる既存のルートへの影響がネットワーク管理者に通知されることになるため、ネットワーク管理者はこれを受けて必要に応じて適宜迂回ルートの再設定操作、新規サービスに対するルートの再設計等を行うことが出来、各パスを構成するルートの信頼性を効果的に向上可能である。
［機能８］
パス情報データにおいてネットワーク内で最も優先度の高いパスを管理するための予備優先度フラグを設けておき、パス設定時に当該予備優先度フラグがネットワーク管理者により「ＯＮ」に設定された場合、当該パスについて最も優先度の高い迂回ルートが予備ルートとされ当該ルートに係るパス設定が事前に自動的になされ、もって当該最も優先度の高いパスに異常が発生した場合、当該迂回ルートへの切り替えに要される時間を効果的に短縮することを可能にする機能。
【００５０】
この機能によってネットワーク内で重要な回線に対しては予備ルートにパス設定が事前になされるため、異常発生時に他のパスに影響を与えることなく、予備ルートへの切り替えに要さえる時間を効果的に短縮させることができる。
【００５１】
以下上記各機能を実現するための情報処理装置として設けられたサーバコンピュータ２００が実行する各機能・処理の詳細について図４〜図４９とともに説明する。
【００５２】
尚以下の説明において述べる各機能・処理はサーバコンピュータ２００のＣＰＵが所定ソフトウェアを実行することによって実現される。
【００５３】
図４は上記パス設定に係る機能１〜４を実現するための構成を説明するための図である。
【００５４】
これら機能１〜４を実現するためサーバコンピュータ２００はパス設定時に以下の機能、すなわち装置登録機能２１１，パッケージ登録機能２１２，ネットワーク登録機能２１３、パス設定機能２１４及びパス経路優先度設定機能２１５を実行する。
【００５５】
これらのうち装置登録機能２１１，パッケージ登録機能２１２，ネットワーク登録機能２１３及びパス設定機能２１４は、図３とともに上述の従来例における装置登録機能１２１１，パッケージ登録機能１２１２，ネットワーク登録機能１２１３及びパス設定機能２１４とそれぞれ同様の機能である。
【００５６】
ネットワークを構成する区間(例えば東京〜大阪間)のネットワーク毎に以下の手順１〜３を実行する。
【００５７】
手順１：装置登録機能
提供するサービスの信号を伝送するルートを構成する伝送装置を、ネットワークを運用管理(監視/制御)するソフトウェアOpSの管理対象とするための登録処理であって、該当する伝送装置とのセッション確立及びログイン処理を実行し、当該伝送装置のデータをサーバコンピュータ２００が有するデータベース２５０に「装置データ」として登録する。
【００５８】
尚データベース２５０は例えばサーバコンピュータ２００が有する記憶装置、例えばハードディスク装置に格納され設定される。
【００５９】
手順２：パッケージ登録機能
提供するサービスの信号を伝送するルートを構成する伝送装置が有するパッケージを管理対象とするための登録処理であって、該当する伝送装置に対して行われる当該パッケージを使用可能とするためのパッケージインサービスの登録を行った上で、データベース２５０の「パッケージデータ」としてその旨を登録する。
【００６０】
手順３：ネットワーク登録機能
提供するサービスの信号を通すために使用する伝送装置を管理対象とするための登録処理であって、データベース２５０に「ネットワークデータ」として登録する。
【００６１】
手順４：パス設定機能／パス経路優先度設定機能
「パス設定機能」とは提供するサービスの信号を通すために使用する<優先度１：運用パス>を管理対象とするための登録処理であって、伝送装置側への<優先度１：運用パス>の設定及び、データベース２５０のパス経路データ２５４への登録を行う。
【００６２】
又「パス経路優先度設定機能」とは図５に示されるごとく、<優先度１：運用パス>が信号断になった場合の予備ルートとして<優先度２：予備ルート1>、<優先度３：予備ルート2>の登録処理であって、データベース２５０の「パス経路優先度データ」への登録をおこなう。
【００６３】
次に図６〜８とともに上記機能１について更に詳細に説明する。
【００６４】
機能１は迂回ルート予測機能である。
【００６５】
この機能では図６，７に示されるごとく、<優先度１：運用ルート>の信号断発生時の迂回ルートを予測し、以下の手順で自動で設定を行う機能である。
【００６６】
データベース２５０の構成／設定値については図３６Ｂとともに後述する。
【００６７】
手順１：<優先度１：運用ルート>信号断
ここでは<優先度１：運用ルート>を構成する伝送装置1（ＴＵ１）と伝送装置4（ＴＵ４）との間の区間で外部要因による信号断発生した場合を想定する。
【００６８】
手順２：伝送装置４、信号断／信号断通知が発生
ここでは伝送装置４（ＴＵ４）で上記信号断検出がなされ信号断通知がサーバコンピュータ２００のネットワークを運用管理(監視/制御)するソフトウェアOpSへ通知される。
【００６９】
手順３：迂回ルート予測／設定
ここでは以下の手順でサーバコンピュータ２００が自動で信号断通知を受信，迂回ルート予測／パス設定を実行する。
【００７０】
通知受信機能を実行する。すなわち伝送装置からの通知を受信する。
【００７１】
更に追加機能として迂回ルート予測機能を実行する。
【００７２】
まず図７に示されるごとく、パス経路検索（２２２−１）を行う。
【００７３】
すなわちデータベース２５０の.パス情報データ２５４、パス経路優先度データ２５５から、当該信号断通知の対象となるパスを検索する。
【００７４】
すなわちデータベース２５０の.パス経路優先度データ２５５の項目[運用/非運用]が"運用"であり、かつ、データベース２５０のパス情報データ２５４、パス経路優先度データ２５５の項目[パス番号]について、当該信号断通知パス番号を検索キーとして指定し検索することにより該当する迂回ルートのレコードを得、その中から項目[パス情報]及び項目[優先度]のデータを得る。
【００７５】
次に迂回ルート検索（２２２−２）を行う。
【００７６】
すなわち図８に示されるごとく、データベース２５０のパス情報データ２５４パス経路優先度データ２５５から、上記パス経路検索（２２２−１）で取得したパスに対応する迂回ルート(パス)を優先度の高い順に検索する。
【００７７】
すなわちデータベース２５０の上記パス経路検索（２２２−１）で取得した各迂回ルート候補のレコードのパス経路優先度データ２５５の項目[パス情報]、項目[パス情報]のデータ及び項目[優先度]のデータに対し、項目[優先度]がもっとも大きい値の迂回ルート候補のレコードの項目[パス番号]を取得する。但しその場合、パス経路検索（２２２−１）で得られたレコードについては除外して行う。
【００７８】
迂回ルートパス設定機能を実行する。
【００７９】
ここでは伝送装置設定を行う。
【００８０】
すなわち同じく図７に示されるごとく、上記パス検索（２２２−１）で得られた信号断のパス<優先度１：運用ルート>を削除し、迂回ルート検索（２２２−２）で取得した迂回ルート(パス)<優先度２：予備ルート１>を設定する。
【００８１】
より具体的には、この<優先度１：運用ルート>に該当するデータベース２５０のパス経路優先度データ２５５の項目[運用/非運用]に"非運用"を設定するものであり、そのため、パス経路検索（２２２−１）の場合同様、上記信号断のパスに対応するレコードを、データベース２５０のパス経路優先度データ２５５の項目[パス情報]及び項目[優先度]を検索キーとして指定して取得した上で、当該レコード中の項目［運用／非運用］を「非運用」に設定する。
【００８２】
次に迂回ルートとして適用するルートに対応する<優先度２：予備ルート１>に該当するデータベース２５０中のパス経路優先度データ２５５のレコード中、項目[運用/非運用]に"運用"を設定する。
【００８３】
すなわちデータベース２５０のパス経路優先度データ２５５の項目[パス情報]がパス経路検索（２２２−１）で取得した信号断のパスに対応するデータベース２５０のパス経路優先度データ２５５中の項目[パス情報]と一致し、かつ、データベース２５０のパス経路優先度データ２５５中の項目[優先度]が、迂回ルートパス設定（２２２−２）で取得したデータベース２５０のパス経路優先度データ２５５中の項目[優先度]のレコードを検索して得た上で、そのレコードの項目［運用／非運用］データを"運用"に設定する。
【００８４】
次に図９〜１１とともに、上記機能２、すなわち迂回ルート検索機能について説明する。
【００８５】
まず所定の迂回ルート検索画面より迂回ルートを指定し、以下の手順で故障区間を含まない迂回ルートを検索し、ネットワーク管理者に対し画面表示する。
【００８６】
この場合におけるデータベース２５０の構成／設定値 及び、迂回ルート画面構成については図３７Ａ，３７Ｂとともに後述する。
【００８７】
手順１：迂回ルート検索画面：故障区間を指定
ここでは上記迂回ルート検索画面から、想定される故障区間を入力する。
【００８８】
図３７Ａ，３７Ｂの例では、同図（ｃ）に示される迂回ルート検索画面中、検索条件として、「区間Ａ，装置６，波長１」〜「区間Ｂ，装置１，波長１」がネットワーク管理者により指定されている。
【００８９】
手順２：迂回ルート検索
ここではまず図１０に示されるごとく、パス運用検索（２２４−１）を行う。
【００９０】
具体的にはデータベース２５０のパス経路優先度データ２５５から運用ルートを検索する。
【００９１】
すなわち、パス経路優先度データ２５５の項目[運用/非運用]が"運用"のものを検索し、そこで得られたパス経路優先度データ２５５レコード中、項目[パス情報]、[パス番号]、[優先度]の各データを取得する。
【００９２】
図３７Ａ，３７Ｂの例の場合、同図（ｂ）に示されるパス経路優先度データ中、"運用"のものは、パス１につき１行目のルートが、パス２につき１行目のルートが、パス３のついては一通りのみ設定されているルートが該当する。
【００９３】
次に同じく図１０に示されるごとく、運用ルート検索（２２４−２）を行う。
【００９４】
ここではデータベース２５０のパス情報データ２５４から、パス番号を検索する。
【００９５】
すなわちパス情報データ２５４から項目[パス情報]が、上記パス運用検索（２２４−１）で取得したデータベース２５０のパス経路優先度データ２５５のレコードの項目[パス情報]と一致する、パス情報データ２５４のレコードを検索し、その項目[パス番号]を取得する。
【００９６】
図３７Ａ，３７Ｂの例では上記の如く「パス情報」の項目として、パス１，２，３が得られており、これと一致するパス情報データ中のデータは同じくパス１，２，３のものとなる。
【００９７】
次に同じく図１０に示されるごとく、以下の通りアプリケーションロジックによる動作が実行される。
【００９８】
すなわち上記パス運用検索（２２４−１）で取得したデータベース２５０のパス経路優先度データ２５５のレコードの項目[パス番号]と、運用ルート検索（２２４−２のデータベース検索で取得したデータベース２５０のパス情報データ２５４のレコードの項目[パス情報]、[パス番号]のデータとをマージし、そこから、迂回ルート検索画面中の項目[故障区間]と一致するパス情報を検索する。
【００９９】
すなわち上記マージしたパス番号のデータ中から、手順１で入力された迂回ルート検索画面の項目[故障区間]を検索キーと検索することにより、該当するマージ項目[パス情報]、[パス番号]を取得する。
【０１００】
ここでパス情報データのパス番号とパス経路優先度データのパス番号とをマージするのは、パス情報データのパス番号は該当するパスの始点及び終点における伝送装置のデータのみが含まれ、他方パス経路優先度データのパス番号はその間の中継部分の伝送装置のデータが含まれていることから、両者をマージすることにより該当するパスを構成する一連の伝送装置のデータの全てが得られるからである。その結果、手順１で指定された故障区間を挟む伝送装置のデータは必ず当該一連の伝送装置のデータに含まれることになり、もって上記アプリケーションロジックによって必ず該当するパスが取得される。
【０１０１】
図３７Ａ，３７Ｂの例では、区間Ａ，装置６，波長１〜区間Ｂ，装置１，波長１が指定されており、このデータはパス経路優先度データ中、パス１の運用中のルート、すなわち１行目のルートに含まれており、当該ルートのレコードは上記マージしたデータ二も含まれているため、当該レコードに対応するパス、すなわちパス１の運用中のルート（１行目）が取得される。
【０１０２】
このように取得されたパス経路優先度データ中のレコードのパス番号のデータが図示のごとく、図３７Ｂ，（ｃ）の迂回ルート検索画面の下段の［検索結果］領域に、迂回前（現状）のルートとして表示される。又、該当するパス情報（すなわち「パス１」）、及びその始点と終点のデータが、同領域中、表の上に「対象パス」として表示される。
【０１０３】
次に迂回ルート検索（２２４−３）を実行する。
【０１０４】
すなわち図１１に示されるごとく、データベース２５０のパス経路優先度データ２５５から、上記運用ルート検索（２２４−２）で検索したパスに対応する迂回ルート(パス)を優先度の高い順に検索する。但しその際、上記アプリケーションロジック（２２４−３）で取得されたパス経路優先度データ中のパス番号のレコードは除外される。
【０１０５】
具体的には、データベース２５０のパス経路優先度データ２５５の項目[パス情報]が、上記アプリケーションロジック（２２４−３）によって取得したデータベース２５０のパス経路優先度データ２５５のレコードの項目[パス情報]と一致し、かつ、その項目[優先度]が最も大きい値のレコードの項目[パス番号]のデータを取得する。その際、上記アプリケーションロジック（２２４−３）で取得されたパス経路優先度データ中のパス番号のレコードは除外される。
【０１０６】
図３７Ａ，３７Ｂの例の場合、アプリケーションロジック（２２４−３）で得られたパスはパス１であり、パス経路優先度データ中、パス１に含まれるレコードのうち優先度が最大のものは優先度１のレコードであるが、これは上記アプリケーションロジック（２２４−３）で得られたレコード（すなわち運用中のルートのレコード）と一致するため、除外され、次に優先度が大きいものは優先度２のレコード（すなわち非運用のルート）であり、これが採用される。
【０１０７】
次に運用/迂回ルート表示がなされる（２２４−４）。
【０１０８】
ここではアプリケーションロジックにより、上記運用ルート検索（２２４−２）及び迂回ルート検索（２２４−３）で得られた[パス情報]、[パス番号]のデータを表示する。
【０１０９】
図３７Ａ，３７Ｂの例では、図示のごとく、上記の如く運用ルートの表示ではパス１中に係る優先度が１のルートが表示され、迂回ルートの表示ではパス１に係る優先度２のルートが表示される。
【０１１０】
次に図１２〜１４及び図３８Ａ，３８Ｂ，図３９Ａ，３９Ｂ及び図４０とともに、上記機能３、すなわち区間管理機能について説明する。
【０１１１】
この機能によればネットワーク管理者が所定の区間管理画面より予約区間を指定すると、以下の手順で予約区間を含まないパスが自動で設定される。
【０１１２】
図３８Ａ，３８Ｂ，図３９Ａ，３９Ｂはこの機能に係るデータベース２５０の構成／設定値 及び、区間管理画面構成に示す図である。
【０１１３】
手順１：区間管理画面：予約条件を指定
ここでネットワーク管理者が区間管理画面から予約条件を入力する。
【０１１４】
図３８Ａ，３８Ｂ，３９Ａ，３９Ｂの例では、ネットワーク管理者により、図３９Ｂ，（ｃ）に示されるごとく、区間Ｃの伝送装置６、波長４が指定されている。
【０１１５】
手順２：区間管理検索
ここでは区間管理機能２２５として、予約に係るパス検索(始点／終点)（２２５−１）を実行する。
【０１１６】
尚信号を入力する始点装置及び信号を出力する終点装置については他装置への切り替え（すなわち迂回）が出来ないため、これらの装置が指定された場合、エラー応答を行う。
【０１１７】
２５０のパス情報データ２５４から、区間管理画面の[予約条件]の内容に合致するパスを検索する。
【０１１８】
すなわちデータベース２５０のパス情報データ２５４の項目[パス番号]が、上記手順１で入力された迂回ルート検索画面の項目[予約条件]を検索キーとして指定して検索する。
【０１１９】
その結果ヒットした場合、上記の如く画面へエラー応答を行う。
【０１２０】
他方ヒットしなかった場合、以下のパス検索（中継）（２２５−２）を実行する。
【０１２１】
図３８Ａ，３８Ｂ，３９Ａ，３９Ｂの例の場合、上記指定に係る区間Ｃの伝送装置６は図３９Ｂ，（ａ）に示すパス情報データのパス番号のデータには含まれていない。よってヒットしない。
【０１２２】
ここで信号を中継する中継装置については他装置への切り替え（すなわち迂回）可のため、迂回ルート検索画面の項目[予約条件]を含むパスが運用中の場合、これに対する優先度の高い迂回ルートを検索する。
【０１２３】
すなわちデータベース２５０のパス経路優先度データ２５５の項目[パス番号]が、手順１で入力された、迂回ルート検索画面の項目[予約条件]に合致し、かつ、その項目[運用/非運用]が"運用"となっていた場合である。
【０１２４】
そのような場合、該当するルートのレコードの項目[パス情報]、[優先度]を取得する。
【０１２５】
次に上記迂回ルートの検索を行う（２２５−３）。
【０１２６】
データベース２５０のパス経路優先度データ２５５から、上記パス検索（２２５−２）で得た運用中のパスに対応する迂回ルート(パス)を優先度の高い順に検索する。
【０１２７】
すなわちデータベース２５０のパス経路優先度データ２５５の項目[パス情報]がパス検索（２２５−２）で取得したルートのレコードの項目[パス情報]と一致し、かつ、その項目[優先度]が最も大きい値のものを検索する。但し運用中のルートのもの、すなわちパス検索（２２５−２）で得たレコードは除外する。
【０１２８】
図３８Ａ，３８Ｂ，３９Ａ，３９Ｂの例の場合、上記指定に係る区間Ｃの伝送装置６は図３９Ｂ，（ｂ）に示すパス経路優先度データのパス番号のデータには含まれていない。よってこの場合もヒットしない。
【０１２９】
次に迂回ルートパス設定機能（２２３）について説明する。
【０１３０】
まず伝送装置設定を行う。
【０１３１】
すなわち、上記パス検索（２２５−２）で得られた、迂回ルート検索画面の項目[予約条件]を含む<優先度１：運用ルート>を削除する。
【０１３２】
そして上記迂回ルート検索（２２５−３）で得られた迂回ルート(パス)<優先度２：予備ルート１>を設定する。
【０１３３】
具体的には、<優先度１：運用ルート>に該当するデータベース２５０のパス経路優先度データ２５５中のレコードの項目[運用/非運用]に"非運用"を設定する。
【０１３４】
その際、データベース２５０のパス経路優先度データ２５５の項目[パス情報]がパス検索（２２５−２）で取得したデータベース２５０のパス経路優先度データ２５５中のレコードの項目[パス情報]に一致し、かつその項目[優先度]が上記パス検索（２２５−２）で取得したデータベース２５０のパス経路優先度データ２５５のレコードの項目[優先度]と一致するレコードを得、そのレコードの項目[運用/非運用]に"非運用"を設定する。
【０１３５】
次に<優先度２：予備ルート１>に該当するデータベース２５０のパス経路優先度データ２５５項目[運用/非運用]に"運用"を設定する。
【０１３６】
すなわちデータベース２５０のパス経路優先度データ２５５中の項目[パス情報]がパス検索（２２５−２）で取得したデータベース２５０のパス経路優先度データ２５５のレコードの項目[パス情報]と一致し、かつ、その項目[優先度]が迂回ルート検索（２２５−３）で取得したデータベース２５０のパス経路優先度データ２５５のレコードの項目[優先度]に一致するレコードを得、その項目[運用/非運用]に"運用"を設定する。
【０１３７】
最後に、データベース２５０の区間管理データ２５６に、区間管理画面の[予約条件]を設定する。
【０１３８】
この区間管理データは図３９Ｂ，（ｄ）に示されるごとくの内容を有し、同図の例の場合図示のごとく、上記予約条件である区間Ｃ，伝送装置６、波長４のデータが追加設定される。
【０１３９】
図４０とともに、この区間管理機能の動作の流れを説明する。
【０１４０】
ネットワーク管理者によって予約条件が指定されると、まずステップＳ１１で既に同様の予約条件が設定済みか否かを判断し、設定済みの場合、エラー出力を行う（ステップＳ１７）。
【０１４１】
他方そうでない場合、次にステップＳ１２でパス情報データに予約条件に合致するパス番号が含まれているか否かを判断し、含まれていればエラー出力を行う（ステップＳ１７）。
【０１４２】
そうでない場合、次にステップＳ１３でパス経路優先度データに予約条件に合致するパス番号が含まれているか否かを判断し、含まれていればステップＳ２１に移行する。
【０１４３】
そうでない場合、次にステップＳ１４で当該予約条件を区間管理データとして設定する。
【０１４４】
上記ステップＳ２１では、迂回ルートを探索し、迂回ルートが見つからない場合、エラー出力を行う（ステップＳ１７）。
【０１４５】
迂回ルートが見つかった場合、同迂回ルートに対応するように、各伝送装置のパス設定を変更する（ステップＳ２２）。
【０１４６】
その後ステップＳ２４にて、上記予約条件を区間管理データとして設定する。
【０１４７】
次に図１５〜１８，図４１Ａ，４１Ｂとともに、上記機能４、すなわち運用頻度設定／検索機能について説明する。
【０１４８】
この機能ではデータベース２５０のパス経路優先度データ２５５に設定されているルートごとに、その項目[運用/非運用]が"運用"として使用された時間を管理する。
【０１４９】
図４０Ａ，４０Ｂは当該機能に係るデータベース２５０の構成／設定値 の例を示す。
【０１５０】
手順１としてパス切り替え通知を行う。
【０１５１】
ここではパス切り替えを実行する上記迂回ルートパス設定機能２２３に、以下の機能を追加することにより、パス切り替え通知を行う。
【０１５２】
すなわち迂回ルートパス設定機能２２３において、迂回ルートパス設定時に使用した以下の値をパス切り替え通知のパラメータとして設定あるいは通知する。
【０１５３】
迂回ルートパス切り替え元パスのデータとして、データベース２５０のパス経路優先度データ２５５中、該当するルートのレコードの項目[パス情報]、[優先度]、[パス番号]の各データを設定あるいは通知する。
【０１５４】
同様に迂回ルートパス切り替え先パスのデータとして、データベース２５０のパス経路優先度データ２５５中、該当するルートのレコードの項目[パス情報]、[優先度]、[パス番号]の各データを設定あるいは通知する。
【０１５５】
手順２として運用時間設定を行う。
【０１５６】
ここでは運用時間管理機能２５６のうちのパス切り替え元運用時間設定（２５６−１）を行う場合、上記手順１によるパス切り替え通知を受け、まず優先度に対応する迂回ルートパス切り替え元パス項目[パス番号]を検索する。
【０１５７】
具体的にはデータベース２５０のパスルート履歴データ２５７中、項目[パス情報]が上記パス切り替え通知の迂回ルートパス切り替え元パス項目である[パス情報]と一致し、かつ、その項目[優先度]がパス切り替え通知の迂回ルートパス切り替え元パス項目の[優先度]と一致するパスルート履歴データ２５７中のレコードを得、その項目[パス番号]を取得する。
【０１５８】
次に迂回ルートパス切り替え元パスのデータベース２５０のパスルート履歴データ２５７の項目[使用開始時刻]を検索する。ここではデータベース２５０パスルート履歴データ２５７の項目[パス情報]がパス切り替え通知の迂回ルートパス切り替え元パス項目の[パス情報]と一致し、かつ、その項目[パス番号]が検索項目の[パス番号]と一致するレコードを取得し、その項目[使用開始時刻]を取得する。
【０１５９】
このようにして得られたデータに基づき、次にデータベース設定を行う。
【０１６０】
迂回ルートパス切り替え元パスの場合、データベース２５０のパスルート履歴データ２５７の項目[使用停止時刻]に現在時刻を設定及び、その項目[使用時間]に
（現在時刻）−（使用開始時刻）
で得られる値を設定する。
【０１６１】
ここではデータベース２５０のパスルート履歴データ２５７項目の[パス情報]が上記パス切り替え通知の迂回ルートパス切り替え元パス項目の[パス情報]に一致し、かつ、その項目[パス番号]がデータベース検索の項目[パス番号]に一致するレコードを取得した上で行う。
【０１６２】
次にパス切り替え先運用時間設定を行う場合、上記手順１によるパス切り替え通知を受け、そのパスの優先度に対応する迂回ルートパス切り替え先パスの項目[パス番号]を検索する。
【０１６３】
すなわちデータベース２５０のパスルート履歴データ２５７の項目[パス情報]が、上記パス切り替え通知の迂回ルートパス切り替え先パスの項目[パス情報]と一致し、かつ、その[優先度]がパス切り替え通知の迂回ルートパス切り替え先パス項目[優先度]と一致するレコードを得、その項目[パス番号]を取得する。
【０１６４】
そしてデータベース設定を行う。迂回ルートパス切り替え先パスの場合、データベース２５０のパスルート履歴データ２５７の項目[使用開始時刻]に現在時刻を設定する。これはデータベース２５０のパスルート履歴データ２５７の項目[パス情報]が上記パス切り替え通知の迂回ルートパス切り替え先パスの項目[パス情報]に一致し、かつ、その項目[パス番号]がデータベース検索の項目[パス番号]に一致するレコードを取得した上で行う。
【０１６５】
次に同じく上記機能４による運用時間表示について説明する。
【０１６６】
機能２の説明において述べた迂回ルート検索画面よりネットワーク管理者が迂回ルートを指定すると、以下の手順で故障区間を含まない迂回ルートが自動的に検索され画面表示される際、そのルートごとに運用時間が表示される。
【０１６７】
図４１Ａ，４１Ｂはこの場合のデータベース２５０の構成／設定値及び、迂回ルート画面構成を例示する。
【０１６８】
手順１：迂回ルート検索画面：故障区間を指定
ここでは迂回ルート検索画面上でネットワーク管理者が故障区間を入力する。
【０１６９】
手順２：迂回ルート検索
ここでは上記機能2の手順２において迂回ルート検索で実行される運用／迂回ルート表示処理（２２４−４）の前に運用時間検索（２２４−３Ａ）を実行する。
【０１７０】
また上記データベース２５０のパスルート履歴データ２５７から運用時間を検索で得る。
【０１７１】
すなわちデータベース２５０のパスルート履歴データ２５７の項目[パス情報]がこれに先立つ運用ルート検索（２２４−２）で取得した項目[パス情報]と一致し、かつその項目[パス番号]が運用ルート検索（２２４−２）あるいは迂回ルート検索（２２４−３）で取得した項目[パス番号]と一致するレコードを得、その項目[運用時間]を取得し、これを上記迂回ルート画面に表示する。
【０１７２】
図４１Ａ，４１Ｂの例の場合、パス情報（すなわちパス１）及びパス番号が一致するパスルート履歴データのレコードは図４１Ｂ，（ｃ）中、パス情報がパス１のレコードであり、それらの運用時間が得られ、図４１Ｂ，（ｄ）の迂回ルート検索画面の下段の検索結果領域に表示されている。同検索結果領域に表示された各ルートは上から順に、迂回前（現状）として、図４１Ｂ，（ｂ）のパス経路優先度データ中、優先度が１のルート、優先度が２のルート、優先度が３のルートが表示されている。これらのルートの運用時間は図４１Ｂ，（ｂ），（ｃ）に示されるごとく、それぞれ１０時間００分、１００時間００分及び５時間００分である。
【０１７３】
なおこの場合、図４１Ｂ，（ｃ）のパスルート履歴データにおける各ルートの運用時間にうち、同一ルートにつき最も長い運用時間を採用するものとし、これを「運用頻度」として順位を付ける。すなわち、上記優先度１，２，３のそれぞれのルートの運用時間は１０時間００分、１００時間００分及び５時間００分であることから、「運用頻度」の順位は、優先度２のルートが１，次いで優先度１のルートが２、そして優先度３のルートが３となる。これらが図４１Ｂ、（ｄ）に示すごとく、上記検索結果領域に「運用頻度１」、「運用頻度２」、「運用頻度３」として、それぞれ表示される。
【０１７４】
この例の場合図４１Ｂ，（ｄ）に示すごとく、優先度１のルートが運用頻度２，優先度２のルートが運用頻度１となっており、順位が入れ替わっている。運用頻度、すなわち最大運用時間が短い場合、当該ルートの信頼性がその分低いと判断できるため、ネットワーク管理者は例えば現在の優先度１，２のルートの優先度を入れ替える設定を行うことにより、より信頼性の高いルートにより高い優先度を設定し、以後より高い優先度で適用されるようにすることが可能となる。
【０１７５】
次に上記機能５及び機能６、すなわちPM(Performance Monitor)管理につき、図２１〜２８，図４２Ａ，４２Ｂ，４３，４４Ａ，４４Ｂとともに説明する。
【０１７６】
これら機能５,６を実現するため、パス設定に使用するパッケージ状態/信号入力,出力状態を定期的に管理するためのPM管理機能２２８を追加する（図２１参照）。
【０１７７】
まずネットワークに登録されている伝送装置に対し、そのパッケージ状態/信号入力,出力状態を示すデータPM(Performance Monitor)を15分単位に読出して送信するように指示し、当該読み出し信号を受信した後、その内容をPM統計データ２５８としてデータベース２５０に設定する。
【０１７８】
具体的には手順１としてPM定期収集/設定を行う。
【０１７９】
上記PM管理機能２２８により以下の機能を15分単位で実行する。
【０１８０】
PM定期収集（２２８−１）
ここではデータベース２５０のパス情報データ２５４、パス経路優先度データ２５５から、パスで使用される全パス番号を検索する。
【０１８１】
また全件検索を行うものとし、データベース２５０のパス情報データ２５４の項目[パス番号] ,パス経路優先度データ２５５の項目[パス番号]を取得する。
【０１８２】
PM定期設定（２２８−２）
ここでは上記ＰＭ定期収集（２２８−１）で得られたパス番号(すなわち各伝送装置)からPMデータを読出す。
【０１８３】
またノード情報(パス番号)単位で伝送装置読出（２２８−２）で読出したPMデータをデータベース２５０に設定する。
【０１８４】
すなわちデータベース２５０のPM統計データ２５８の項目[ノード情報]が、ＰＭ定期収集（２２８−１）で取得したデータベース２５０のパス情報データ２５４の項目[パス番号]、またはデータベース２５０のPM統計データ２５８の項目[ノード情報]がＰＭ定期収集（２２８−１）で取得したデータベース２５０のパス経路優先度データ２５５の項目[パス番号]と一致するレコードを取得し、該当するレコードに上記読み出したＰＭデータを設定する。
【０１８５】
この場合、該当するレコードがない場合、該当するレコードを新規に設定する。
【０１８６】
次に品質劣化設定（２２８−３）を行う。
【０１８７】
ここでは上記ＰＭ定期収集（２２８−１）で得られたパス番号(伝送装置)分のPM統計データ(履歴)を検索する。
【０１８８】
すなわちデータベース２５０のPM統計データ２５８項目[ノード情報]がＰＭ定期収集（２２８−１）で取得したデータベース２５０のパス情報データ２５４の項目[パス番号]に一致するか、パス経路優先度データ２５５の項目[パス番号]に一致するレコードを得、その項目[PMデータ]を取得する。
【０１８９】
次に所定のアプリケーションロジックにより、上記データベース検索で取得したデータベース２５０のPM統計データ２５８の項目[PMデータ]をデータベース２５０のPM統計データ２５８項目[ノード情報]毎に合計し、該当する項目[PMデータ]数から平均値(品質劣化係数データ:係数データ)を算出する。その結果、項目[PMデータ]は15分単位で取得するため、15分間隔の品質劣化係数が算出できる。尚ここでＰＭデータは図４８、４９Ａ〜Ｅに例示するごとく、ノード（伝送装置）ごとに多数の項目を有し、上記１５分間隔のタイミングごとに、そこで得られた各項目のデータの平均値を得る。
【０１９０】
次に、ノード情報(パス番号)単位で、上記アプリケーションロジックで得られた品質劣化係数データ:係数データをデータベース２５０に設定する。
【０１９１】
ここではデータベース２５０の品質劣化係数データ２５９の項目[ノード情報]が上記データベース検索で取得したデータベース２５０のパス経路優先度データ２５５項目[パス番号]と一致するレコードを取得し、当該レコードに該当する計数データを設定する。
【０１９２】
該当するレコードが見つからなかった場合、該当するレコードを新規に設定する。
【０１９３】
次に上記機能５におけるPM(Performance Monitor)パスルート検索について説明する。
【０１９４】
ここでは所定のPMデータパスルート検索画面上でネットワーク管理者がPM閾値を指定すると、以下の手順で当該PM閾値より小さいルートが自動で検索され画面表示される。
【０１９５】
図４２Ａ，４２Ｂはこの場合のデータベース２５０の構成／設定値及び上記ＰＭパスルート検索画面の構成を例示する。
【０１９６】
まず手順１で、ネットワーク管理者がPMデータパスルート検索画面上でパス情報,PM閾値を指定する。
【０１９７】
次に手順２にて、PMデータパスルート検索が自動で実行される。
【０１９８】
ここではPMデータパスルート検索機能２２９が設けられ、以下の処理が自動で実行される。
【０１９９】
ルート検索（２２９−１）
ここではデータベース２５０のパス情報データ２５４、パス経路優先度データ２５５から、パス番号を検索する。
【０２００】
すなわちデータベース２５０のパス情報データ２５４の項目[パス情報]が、上記手順１で入力された、PMデータパスルート画面の項目[パス情報]と一致し、あるいはデータベース２５０のパス経路優先度データ２５５の項目[パス情報]が同じく手順１で入力された、PMデータパスルート画面の項目[パス情報]と一致するレコードを得る。
【０２０１】
そしてここで得られたデータベース２５０のパス情報データ２５４のレコードの項目[パス番号]、あるいはデータベース２５０のパス経路優先度データ２５５のレコードの項目[パス番号]、[優先度]、[運用/非運用]を取得する。
【０２０２】
PMデータ検索（２２９−２）
ここではデータベース２５０のPM統計データ２５８から、上記指定に係るPM閾値より小さいパス番号を検索する。
【０２０３】
すなわち、データベース２５０のPM統計データ２５８の項目[PMデータ]が、手順１で入力されたPMデータパスルート画面の項目[PM閾値]より小さいレコードを得、その項目[ノード情報]を取得する。
【０２０４】
ルート表示（２２９−３）
ここでは所定のアプリケーションロジックにより、上記ルート検索（２２９−１）で取得したデータベース２５０のパス経路優先度データ２５５の各レコードにつき、その項目[パス番号]に含まれるノードの全てが、ＰＭデータ検索（２２９−２）で取得したデータベース２５０のPM統計データ２５８のレコードの項目[ノード情報]に含まれているか否かを検索により調べる。その結果該当するパス経路優先度データのレコードがあれば、その[パス情報] [パス番号][優先度][運用/非運用]の各項目をＰＭデータパスルート検索画面に表示する。
【０２０５】
図４２Ａ，４２Ｂの例では、図４２，（ｄ）に示すごとくネットワーク管理者がＰＭデータパスルート検索画面上でパス情報として「パス１」を、ＰＭ閾値として「４０」を設定すると、この「パス１」に係るパス番号、すなわちパス１を構成する中継装置（ノード）としての伝送装置が、図４２Ｂ，（ａ），（ｂ）に示すパス情報データ及びパス経路優先度データから得られる（２２９−１）。次に上記「４０」より小さいＰＭデータのレコードが図４２Ｂ，（ｃ）のＰＭ統計データから得られ、対応するノード情報、すなわち伝送装置がえられる（２２９−２）。次に、このようにして得られた「４０」より小さいＰＭデータを有する伝送装置が、上記の如く得られた「パス１」を構成する全ての伝送装置を含むか否かが調べられる（２２９−３）。この例の場合、パス１の優先度２のルートについて、該当する全ての伝送装置、すなわち区間Ａの装置４，７，区間Ｃの装置６，７、区間Ｂの装置２，４につき、各々のＰＭデータが４０より小さかったので、当該ルート（すなわち優先度２のルート）がＰＭデータパスルート検索画面の下段の検索結果領域に表示されている（図４２Ｂ，（ｄ））。
【０２０６】
この場合、当該ルートは信頼性が比較的低下していることを意味する。
【０２０７】
なおこの場合、更に、当該パス１に割り当てられている他のルート、すなわち優先度１及び優先度３のルートが画面を通してネットワーク管理者に対し表示される。その結果ネットワーク管理者は、より信頼性の高い現在優先度が３のルートと優先度２のルートとの間で、優先度を入れ替える等の対応をとり得る。
【０２０８】
図４３はその際の動作の流れを説明するための動作フローチャートである。
【０２０９】
ステップＳ３１〜Ｓ３８のループではネットワーク管理者の指定に係るルートを検索によって得、ステップＳ３２〜Ｓ３６のループではこのようにして得られた各ルートを構成する伝送装置を検索によって得、ステップＳ３３ではＰＭ統計データから各伝送装置のＰＭデータを取得し、ステップＳ３４では該当する伝送装置のＰＭデータが、ネットワーク管理者の指定に係るＰＭ閾値を下回るか否かを判定し、下回る場合（はい）、次の伝送装置についてステップＳ３３〜Ｓ３５を繰り返す。このようにしてあるルートを構成する全ての伝送装置についてＰＭ閾値を下回る場合、ステップＳ３７で該当するルートを表示する。他方、いずれかの伝送装置についてＰＭ閾値を下回らなければ当該ルートについての処理が終了し、次のルートについてステップＳ３２〜Ｓ３７が繰り返される。
【０２１０】
次に上記機能６のPM品質劣化時期検索について説明する。
【０２１１】
ここでは所定の劣化時期予測画面を設け、同画面上でネットワーク管理者がPM閾値を指定すると、以下の手順で当該PM閾値より小さいPMデータになる時期が自動で算出され画面表示される。
【０２１２】
図４４Ａ，４４Ｂはその場合のデータベース２５０の構成／設定値及び、該当する画面構成に例示する。
【０２１３】
まず手順１で、劣化時期予測画面からネットワーク管理者がパス情報及びPM閾値を指定入力する。
【０２１４】
その結果手順２にてPM品質劣化時期算出が行われる。
【０２１５】
このPM品質劣化時期算出機能（２３０）では、以下の処理がなされる。
【０２１６】
ルート検索（２３０−１）
ここではデータベース２５０のパス情報データ２５４、パス経路優先度データ２５５から、パス番号を検索する。
【０２１７】
すなわち、データベース２５０のパス情報データ２５４の項目[パス情報]が、手順１で入力された、劣化時期予測画面の項目[パス情報]に一致するか、あるいは劣化時期予測画面（図４４Ｂ，（ｅ）参照）の項目[パス情報]が手順１で入力されたPMデータパスルート画面の項目[パス情報]に一致するレコードを得、そのレコードの項目[パス番号]を得る。
【０２１８】
PM品質劣化時期検索（２３０−２）
ここではデータベース２５０のPM統計データ２５８から、PMデータ(現在値)を検索する。
【０２１９】
ここではルート検索（２３０−１）で取得したデータベース２５０のパス情報データ２５４の項目[パス番号]と一致するデータベース２５０のPM統計データ２５８の項目[ノード情報]または、ルート検索（２３０−１）で取得したデータベース２５０のパス経路優先度データ２５５のレコードの項目[パス番号]と一致するデータベース２５０のPM統計データ２５８の項目[ノード情報]のレコードを得、その項目[PMデータ]を取得する。
【０２２０】
また、データベース２５０の品質劣化係数データ２５９から、係数データを検索する。
【０２２１】
ここではルート検索（２３０−１）で取得したデータベース２５０のパス情報データ２５４の項目[パス番号]と一致するデータベース２５０の品質劣化係数データ２５９の項目[ノード情報]または、ルート検索（２３０−１）で取得したデータベース２５０のパス経路優先度データ２５５のレコードの項目[パス番号]と一致するデータベース２５０の品質劣化係数データ２５９の項目[ノード情報]のレコードを得、その項目[係数データ]を取得する。
【０２２２】
ルート表示（２３０−３）
ここでは所定のアプリケーションロジックにより、以下の条件式に合致するn、すなわちネットワーク管理者の指定に係るＰＭ閾値までの劣化迄の期間を算出する。
【０２２３】
すなわち
上記手順１で入力された、劣化時期予測画面の項目[PM閾値]
<(ＰＭ品質劣化時期検索（２３０−２）で取得したデータベース２５０のPM統計データ２５８の項目[PMデータ])
−（データベース２５０の品質劣化係数データ２５９の項目[係数データ]×n)）
そして同一のデータベース２５０のパス情報データ２５４の項目[パス情報]あるいはデータベース２５０のパス経路優先度データ２５５の項目[パス情報][優先度]に含まれる項目[パス番号]毎に上記nを算出し、その最大値を検索する。
【０２２４】
そしてn×15［分］の時間を[劣化予測時期]として得る。
【０２２５】
尚、上記係数データとはＰＭデータの劣化率を示すデータであり、ＰＭデータを上記の如く１５分ごとに採取する場合、単位時間１５分間にＰＭデータが低下する値の幅を示す。また上記算出するｎは、当該単位時間の何倍の時間が経過するとＰＭデータが上記ネットワーク管理者の指定に係るＰＭ閾値迄に至るかを示す値である。
【０２２６】
図４４Ａ，４４Ｂの例の場合、上記例と異なり、単位時間は１ヶ月とされている。すなわち図４４Ｂ，（ｃ）のＰＭ統計データに示されるごとく、ノード（伝送装置）ごとにＰＭデータは一月単位で採取されており、同図、（ｄ）の左側に示される品質劣化係数データの係数データは、一月ごとにＰＭデータが低下する率を示す。そして同図、（ｄ）の右側に示される指定ＰＭ閾値に劣化するまでの時間（ヶ月）は上記ｎに対応する値であり、単位時間、すなわち一月の何倍、すなわち何ヶ月が経過するとＰＭデータ他指定ＰＭ閾値迄に劣化するかを示す値である。
【０２２７】
例えば図４４Ｂの例において、区間Ａ、装置７の場合、同図、（ｃ）のＰＭ統計データによれば１０ヶ月でＰＭデータが当初の６０から４０迄低下しており、その低下量は６０−４０＝２０である。これを経過時間１０ヶ月で除算すると、２０／１０＝２として、該当する係数データ｛同図、（ｄ）｝が得られる。更に現在のＰＭデータ＝４０であり、指定閾値３０を減算すると、４０−３０＝１０であり、これをこの係数データ＝２で除算すると、１０／２＝５として、同図（ｄ）右側の指定ＰＭ閾値に劣化する迄の時間（ヶ月）＝５が得られる。
【０２２８】
また図４４Ａ，４４Ｂの例では、ルートごとにＰＭデータの劣化率の最大値を有する伝送装置、すなわち最も早く劣化する伝送装置を得る。この場合、図４４Ｂ，（ｄ）に示されるごとく、優先度１及び優先度３のルートでは、区間Ａの装置６が最も早く劣化しており（指定ＰＭ閾値に劣化する迄の時間（ヶ月）＝４０）、優先度２のルートでは区間Ａの装置７が早く劣化している（指定ＰＭ閾値に劣化する迄の時間（ヶ月）＝５）。したがって該当するルートの情報が図４４，（ｅ）の劣化時期予測画面の下段の劣化予測結果領域に表示されている。
【０２２９】
次に上記機能７、迂回ルート閾値設定／通知につき、図２９、３０，図４５Ａ，４５Ｂとともに説明する。
【０２３０】
まず迂回ルート閾値設定について説明する。
【０２３１】
迂回ルート閾値設定画面を設け、同画面よりネットワーク管理者が所望のパス情報に対応する迂回ルート閾値を設定する。
【０２３２】
図４５Ａ，４５Ｂはこの場合のデータベース２５０の構成／設定値 及び、迂回ルート閾値設定画面構成例を示す。
【０２３３】
手順１で、上記の如くネットワーク管理者が迂回ルート閾値設定画面からパス情報,迂回ルート閾値を入力すると、手順２で迂回ルート閾値設定が自動で実行される。
【０２３４】
ここでは迂回ルート閾値設定機能（２３１）として迂回ルート閾値設定（２３１−１）を行う。
【０２３５】
すなわちパス情報単位に運用に必要な最低限の迂回ルート数をデータベース２５０のパス情報データ２５４に設定する。
【０２３６】
データベース２５０のパス情報データ２５４の項目[パス情報]が手順１で入力された、迂回ルート閾値設定画面の項目[パス情報]と一致するレコードを得、同レコードの項目[迂回ルート閾値]に手順１で入力された項目[迂回ルート閾値]を設定する。
【０２３７】
次に迂回ルート閾値通知について説明する。
【０２３８】
ここではデータベース２５０のパス情報データ２５４の項目[迂回ルート閾値]以下に迂回ルート数になった場合、迂回ルート閾値通知をクライアント、すなわちネットワーク管理者に自動で通知する。
【０２３９】
図４５Ａ，４５Ｂはこの場合のデータベース２５０の構成／設定値の例を示す。
【０２４０】
手順１としてパス切り替え通知を行う。
【０２４１】
ここでは上記機能１，３におけるパス切り替えにおける迂回ルートパス設定機能に機能を追加してパス切り替え通知を自動で行うようにする。
【０２４２】
具体的には図１５，１６とともに上述の迂回ルートパス設定機能（２２３）と同様の機能を実行する。
【０２４３】
次に手順２として迂回ルート閾値通知を行う。
【０２４４】
ここでは迂回ルート閾値通知機能（２３２）を実行する。
【０２４５】
すなわち迂回ルート閾値検索（２３２−１）を行う。
【０２４６】
データベース２５０のパス経路優先度データ２５５から、手順１で通知されたパス番号を含まないパス情報単位のルート数を検索する。
【０２４７】
すなわちデータベース２５０のパス経路優先度データ２５５項目[パス番号]がパス切り替え通知の迂回ルートパス切り替え先パス項目[パス番号]以外のレコードを得、その項目[パス情報]単位の登録数(ルート数)を取得する。
【０２４８】
またデータベース２５０のパス情報データ２５４から、手順１で通知されたパス番号を含む項目[パス情報]を検索する。
【０２４９】
すなわちデータベース２５０のパス情報データ２５４項目[パス情報]が上記データベース検索で取得したデータベース２５０のパス経路優先度データ２５５項目[パス情報]と一致するレコードを得、項目[迂回ルート閾値]を取得する。
【０２５０】
次に迂回ルート閾値通知｛２３１−２｝を行う。
【０２５１】
所定のアプリケーションロジックにより、上記データベース検索で取得したデータベース２５０のパス経路優先度データ２５５の項目[パス情報]単位の登録数(ルート数)が、同じくデータベース検索で取得したデータベース２５０のパス情報データ２５４項目[迂回ルート閾値]未満になった場合、迂回ルート閾値通知をクライアント、すなわちネットワーク管理者に通知する。
【０２５２】
図４５Ａ，４５Ｂの例の場合、区間Ａ、装置７が減設された場合を想定しており、その結果同装置を含むパス１の優先度２のルートが使用できなくなるため削除され、結果的にパス１の迂回ルート数は現用を含め３から２へと減少する（図４５Ａ，４５Ｂ，（ｂ））。他方ネットワーク管理者から迂回ルート閾値設定画面（図４５Ｂ，（ｃ））から、パス１の迂回ルート閾値として３が設定されている（図４５Ｂ，（ａ））ため、上記優先度２のルートの削除によって迂回ルート数が２となり、上記迂回ルート閾値を下回ったため、その旨がネットワーク管理者に通知されることになる。
【０２５３】
次に上記機能８、迂回ルート予約設定機能につき、図３３、３４，図４６Ａ，４６Ｂ，４７Ａ，４７Ｂとともに説明する。
【０２５４】
ここでは迂回ルート予約設定画面を設け、ネットワーク管理者が同画面からパス情報を指定すると、以下の手順で予約ON(迂回ルート事前設定有り)/予約OFF(迂回ルート事前設定無し)に合わせた迂回ルートパス設定/解除が自動で実行される。
【０２５５】
図４６Ａ，４６Ｂはこの場合のデータベース２５０の構成／設定値 及び、区間管理画面構成例を示す。
【０２５６】
手順１として、迂回ルート予約設定画面上でパス情報 , 予約を指定する。すなわちネットワーク管理者が迂回ルート予約設定画面から、パス情報,予約(ON/OFF)を入力すると、手順２として迂回ルート予約設定が自動で実行される。
【０２５７】
すなわち迂回ルート予約設定機能（２３３）が実行される。
【０２５８】
まずパス検索（２３３−１）がなされる。
【０２５９】
ここでは迂回ルート予約画面の項目[パス情報]を含むパスの場合、優先度の高い迂回ルートを検索する。
【０２６０】
すなわちデータベース２５０のパス経路優先度データ２５５項目[パス情報]が手順１で入力された、迂回ルート予約画面の項目[パス情報]と一致し、かつ、データベース２５０のパス経路優先度データ２５５項目[運用／非運用]が"非運用"であり、かつ、データベース２５０のパス経路優先度データ２５５項目[優先度]が最も大きいレコードを得、その項目[パス番号]を取得する。
【０２６１】
次に迂回ルートパス設定機能（２２３）が実行される。
【０２６２】
まず手順１で入力された、迂回ルート予約画面の項目[予約]が"ON"の場合、上記パス検索（２３３−１で検索された、迂回ルート予約画面の項目[パス情報]を含む<優先度２：予備ルート１>を設定する。具体的には該当する伝送装置に対し、予め所定の設定を行うように指示する信号を送信する。
【０２６３】
他方手順１で入力された、迂回ルート予約画面の項目[予約]が"OFF"の場合上記パス検索（２３３−１で検索された、迂回ルート予約画面の項目[パス情報]を含む<優先度２：予備ルート１>を削除する。具体的には該当する伝送装置に対し、予め実施済みの所定の設定を解除するように指示する信号を送信する。
【０２６４】
ここでこのように予め予備ルートに対し、当該ルートを構成する各伝送装置に対する所定の設定を行っておくことにより、運用ルートの障害時、予備ルートへの切り替えが迅速になされ得ることとなり、当該切り替えによるデータ伝送の断絶の時間を最小限とすることが可能となり、データ伝送の信頼性を向上し得る。
【０２６５】
具体的には図３３の例の場合、運用ルートを構成する伝送装置がＴＵ１，ＴＵ４，ＴＵ７，ＴＵ８，ＴＵ９であり、予備ルートを構成する伝送装置がＴＵ１，ＴＵ２，ＴＵ３，ＴＵ６，ＴＵ９であったとすると、予備ルートを構成する伝送装置のうち、始点及び終点の各々の伝送装置１，９を除いた中継に係る伝送装置ＴＵ２，ＴＵ３，ＴＵ６については、当該予備ルートを構成するためのスイッチの設定を予め行っておくことを意味する。ここで予備ルートについてこれら中継に係る伝送装置ＴＵ２，ＴＵ３，ＴＵ６についてこのように予め当該予備ルートを構成するためのスイッチの設定を行っていなかった場合を想定すると、そのような場合、運用ルートから予備ルートへの切り替え時、サーバコンピュータ２００は当該予備ルートを構成する各伝送装置ＴＵ１，ＴＵ２，ＴＵ３，ＴＵ６，ＴＵ９のそれぞれに対し、当該予備ルートを構成するスイッチ設定を行うよう指示する信号を送信する必要がある。上記の如く中継に係る伝送装置ＴＵ２，ＴＵ３，ＴＵ６について予備ルートを構成するように予めスイッチの設定を行っておくことにより、切り替え時にはサーバコンピュータ２００は当該予備ルートを構成する始点及び終点の伝送装置ＴＵ１，ＴＵ９に対してのみ当該予備ルートを構成するスイッチ設定を行うように指示する信号を送信すれば良いため、切り替えにサーバコンピュータ２００に要される処理量を効果的に削減可能となる。このような効果は中継に係る伝送装置の台数が多いほど大きいことは明らかである。
【０２６６】
図４６Ａ，４６Ｂの例では、ネットワーク管理者が迂回ルート予約画面（図４６Ｂ，（ｃ））からパス１の予約をＯＮとする設定を行うと同図，（ａ）に示すごとく、該当するパスの予約優先度フラグがＯＮに設定されるとともに、当該パス１の運用ルート以外の最も優先度の高いルート、すなわち優先度２のルートに対する伝送装置の設定が自動でなされる。
【０２６７】
その結果、図４７Ａ，４７Ｂに示すごとく、実際にパス１の運用ルート（優先度１のルート）に障害が生じ使用不能となったような場合、上記の如く予め設定済みの優先度２のルートへの切り替えが迅速になされる（図４６Ｂ，（ｂ））。
【０２６８】
図５０は上述の本発明の実施例におけるサーバコンピュータ２００の構成例を示すブロック図である。
【０２６９】
図５０に示すごとく、同コンピュータ５００は、与えられたプログラムを構成する命令を実行することによって様々な動作を実行するためのＣＰＵ５０１と、キーボード、マウス等よりなりユーザ（ここではネットワーク管理者）が操作内容又はデータを入力するための操作部５０２と、ユーザにＣＰＵ１０１による処理経過、処理結果等を表示するＣＲＴ、液晶表示器等よりなる表示部５０３と、ＲＯＭ、ＲＡＭ等よりなりＣＰＵ５０４が実行するプログラム、データ等を記憶したり作業領域として使用されるメモリ５０４と，プログラム、データ等を格納するハードディスク装置５０５と、ＣＤ−ＲＯＭ５０７を媒介として外部からプログラムをロードしたりデータをロードするためのＣＤ−ＲＯＭドライブ５０６と、インターネット、ＬＡＮ等の通信網５０９を介して外部サーバからプログラムをダウンロード等するためのモデム５０８とを有する。
【０２７０】
同コンピュータ５００はＣＤ−ＲＯＭ５０７を媒介として、あるいは通信ネットワーク５０９を媒介として、サーバコンピュータ２００が実行する処理、すなわち図４〜図４９とともに上述の処理をＣＰＵ５０１に実行させるための命令よりなるプログラムをロードあるいはダウンロードする。そしてこれをハードディスク装置５０５にインストールし、適宜メモリ５０４にロードしてＣＰＵ５０１が実行する。その結果、サーバコンピュータ２００が実現される。
【０２７１】
本発明は以下の付記の各々に記載の構成をとり得る。
（付記１）
複数の伝送装置が互いにメッシュ状に接続され該複数の伝送装置のうちの所定の伝送装置を中継装置として機能させデータを中継させる構成のデータ伝送を制御するデータ伝送制御方法であって、
複数のサービスのそれぞれについて設定された複数のデータ伝送パスの各々について、当該データ伝送パスを構成する中継経路として予め複数の中継経路を設定する中継経路設定段階と、
前記複数の中継経路の各々につき、予め所定の優先度を割り当てる優先度割当段階とを有し、
前記中継経路設定段階で設定された複数の中継経路及び前記優先度割当段階で割り当てられた所定の優先度に基づいて、前記複数の中継経路のうち現在運用中の中継経路が使用できなくなった場合に使用すべき中継経路が決定されてなるデータ伝送制御方法。
（付記２）
前記中継経路設定段階で設定された複数の中継経路及び前記優先度割当段階で割り当てられた所定の優先度に基づいて、前記複数の中継経路のうち現在運用中の中継経路が使用できなくなった場合にいずれの中継経路が採用されるかについて予測する迂回経路予測段階を有する付記１に記載のデータ伝送制御方法。
（付記３）
前記複数の中継経路のうちのいずれかの中継経路上で将来使用する予定の区間を設定する区間設定段階と、
前記区間設定段階で設定された区間が運用中の中継経路中に含まれている場合、運用に供する中継経路を他の中継経路に切り替えることにより前記区間を空けるようにする中継経路切り替え段階とを有する付記１に記載のデータ伝送制御方法。
（付記４）
サービスごとに実際に運用に供されている中継経路の履歴を管理する運用経路履歴管理段階と、
前記運用経路履歴管理段階によって管理されている実際に運用に供されている中継経路の履歴に基づき、サービスごとに実際に運用に供された頻度が高い中継経路を検出する高頻度運用経路検出段階とを有する付記１に記載のデータ伝送制御方法。
（付記５）
前記複数の伝送装置の各々についての所定の性能監視情報に基づいて各伝送装置の品質を求める装置品質取得段階と、
サービスごとに必要な要求品質を求めるサービス要求品質取得段階と、
前記装置品質取得段階で求められた伝送装置ごとの品質及びサービス品質取得段階で求められた各サービスに必要な要求品質に基づき、サービスごとにその要求品質を満足する中継経路を求める要求品質対応中継経路判断段階とを有する付記１に記載のデータ伝送制御方法。
（付記６）
前記複数の伝送装置の各々についての所定の性能監視情報に基づいて各伝送装置の品質の時間変化を求める時間装置品質取得段階と、
前記時間装置品質取得段階で得られた各伝送装置の品質の時間変化に基づいて、運用中の中継経路の品質が対応するサービスの要求品質以下となる時期を取得する品質劣化時期判断段階とを有する付記１に記載のデータ伝送制御方法。
（付記７）
データ伝送パスごとに当該データ伝送パスを構成する中継経路としての複数の中継経路のうちから使用可能な中継経路の数を求める使用可能中継経路数取得段階と、
前記使用可能中継経路数取得段階で得られた使用可能な中継経路の数が所定の閾値以下となった場合にその事実をユーザに通知する使用可能中継経路数不足通知段階とを有する付記１に記載のデータ伝送制御方法。
（付記８）
前記優先度割当段階で設定された優先度に基づき、データ伝送パスごとに運用中の中継経路が使用不能となった場合に運用に供する中継経路を切り替えるべき中継経路に対し、運用に供する中継経路を切り替える処理に係る動作手順の設定を予め行う予備中継経路切り替え段階を有する付記１に記載のデータ伝送制御方法。
（付記９）
複数の伝送装置が互いにメッシュ状に接続され該複数の伝送装置のうちの所定の伝送装置を中継装置として機能させデータを中継させる構成のデータ伝送を制御するデータ伝送制御装置であって、
複数のサービスのそれぞれについて設定された複数のデータ伝送パスの各々について、当該データ伝送パスを構成する中継経路として予め複数の中継経路を設定する中継経路設定手段と、
前記複数の中継経路の各々につき、予め所定の優先度を割り当てる優先度割当手段とを有し、
前記中継経路設定手段で設定された複数の中継経路及び前記優先度割当手段で割り当てられた所定の優先度に基づいて、前記複数の中継経路のうち現在運用中の中継経路が使用できなくなった場合に使用すべき中継経路が決定されてなるデータ伝送制御装置。
（付記１０）
前記中継経路設定手段で設定された複数の中継経路及び前記優先度割当手段で割り当てられた所定の優先度に基づいて、前記複数の中継経路のうち現在運用中の中継経路が使用できなくなった場合にいずれの中継経路が採用されるかについて予測する迂回経路予測手段を有する付記９に記載のデータ伝送制御装置。
（付記１１）
前記複数の中継経路のうちのいずれかの中継経路上で将来使用する予定の区間を設定する区間設定手段と、
前記区間設定手段で設定された区間が運用中の中継経路中に含まれている場合、運用に供する中継経路を他の中継経路に切り替えることにより前記区間を空けるようにする中継経路切り替え手段とを有する付記９に記載のデータ伝送制御装置。
（付記１２）
サービスごとに実際に運用に供されている中継経路の履歴を管理する運用経路履歴管理手段と、
前記運用経路履歴管理手段によって管理されている実際に運用に供されている中継経路の履歴に基づき、サービスごとに実際に運用に供された頻度が高い中継経路を検出する高頻度運用経路検出手段とを有する付記９に記載のデータ伝送制御装置。
（付記１３）
前記複数の伝送装置の各々についての所定の性能監視情報に基づいて各伝送装置の品質を求める装置品質取得手段と、
サービスごとに必要な要求品質を求めるサービス要求品質取得手段と、
前記装置品質取得手段で求められた伝送装置ごとの品質及びサービス品質取得手段で求められた各サービスに必要な要求品質に基づき、サービスごとにその要求品質を満足する中継経路を求める要求品質対応中継経路判断手段とを有する付記９に記載のデータ伝送制御装置。
（付記１４）
前記複数の伝送装置の各々についての所定の性能監視情報に基づいて各伝送装置の品質の時間変化を求める時間装置品質取得手段と、
前記時間装置品質取得手段で得られた各伝送装置の品質の時間変化に基づいて、運用中の中継経路の品質が対応するサービスの要求品質以下となる時期を取得する品質劣化時期判断手段とを有する付記９に記載のデータ伝送制御装置。
（付記１５）
データ伝送パスごとに当該データ伝送パスを構成する中継経路としての複数の中継経路のうちから使用可能な中継経路の数を求める使用可能中継経路数取得手段と、
前記使用可能中継経路数取得手段で得られた使用可能な中継経路の数が所定の閾値以下となった場合にその事実をユーザに通知する使用可能中継経路数不足通知手段とを有する付記９に記載のデータ伝送制御装置。
（付記１６）
前記優先度割当手段で設定された優先度に基づき、データ伝送パスごとに運用中の中継経路が使用不能となった場合に運用に供する中継経路を切り替えるべき中継経路に対する、運用に供する中継経路を切り替える処理に係る動作手順の設定を予め行う予備中継経路切り替え手段を有する付記９に記載のデータ伝送制御装置。
【図面の簡単な説明】
【０２７２】
【図１】従来の一例の通信ネットワーク構成を説明するための図である。
【図２】本発明の一実施例による通信ネットワーク構成を説明するための図である。
【図３】従来の一例の通信ネットワーク制御方法を説明するための図である。
【図４】本発明の一実施例による通信ネットワーク制御方法を説明するための図（その１）である。
【図５】本発明の一実施例による通信ネットワーク制御方法におけるパス経路優先度設定機能について説明するための図である。
【図６】本発明の一実施例による通信ネットワーク制御方法を説明するための図（その２）である。
【図７】本発明の一実施例による通信ネットワーク制御方法における迂回ルート予測機能について説明するための図（その１）である。
【図８】本発明の一実施例による通信ネットワーク制御方法における迂回ルート予測機能について説明するための図（その２）である。
【図９】本発明の一実施例による通信ネットワーク制御方法を説明するための図（その３）である。
【図１０】本発明の一実施例による通信ネットワーク制御方法における迂回ルート検索機能について説明するための図（その１）である。
【図１１】本発明の一実施例による通信ネットワーク制御方法における迂回ルート検索機能について説明するための図（その２）である。
【図１２】本発明の一実施例による通信ネットワーク制御方法を説明するための図（その４）である。
【図１３】本発明の一実施例による通信ネットワーク制御方法における区間管理機能について説明するための図（その１）である。
【図１４】本発明の一実施例による通信ネットワーク制御方法における区間管理機能について説明するための図（その２）である。
【図１５】本発明の一実施例による通信ネットワーク制御方法を説明するための図（その５）である。
【図１６】本発明の一実施例による通信ネットワーク制御方法における迂回ルートパス設定機能について説明するための図である。
【図１７】本発明の一実施例による通信ネットワーク制御方法における運用時間管理機能について説明するための図（その１）である。
【図１８】本発明の一実施例による通信ネットワーク制御方法における運用時間管理機能について説明するための図（その２）である。
【図１９】本発明の一実施例による通信ネットワーク制御方法を説明するための図（その６）である。
【図２０】本発明の一実施例による通信ネットワーク制御方法における迂回ルート検索機能について説明するための図（その３）である。
【図２１】本発明の一実施例による通信ネットワーク制御方法を説明するための図（その７）である。
【図２２】本発明の一実施例による通信ネットワーク制御方法におけるＰＭ管理機能について説明するための図（その１）である。
【図２３】本発明の一実施例による通信ネットワーク制御方法におけるＰＭ管理機能について説明するための図（その２）である。
【図２４】本発明の一実施例による通信ネットワーク制御方法を説明するための図（その８）である。
【図２５】本発明の一実施例による通信ネットワーク制御方法におけるＰＭデータパスルート検索機能について説明するための図である。
【図２６】本発明の一実施例による通信ネットワーク制御方法を説明するための図（その９）である。
【図２７】本発明の一実施例による通信ネットワーク制御方法におけるＰＭ品質劣化時期算出機能について説明するための図（その１）である。
【図２８】本発明の一実施例による通信ネットワーク制御方法におけるＰＭ品質劣化時期算出機能について説明するための図（その２）である。
【図２９】本発明の一実施例による通信ネットワーク制御方法を説明するための図（その１０）である。
【図３０】本発明の一実施例による通信ネットワーク制御方法における区間管理機能について説明するための図（その３）である。
【図３１】本発明の一実施例による通信ネットワーク制御方法を説明するための図（その１１）である。
【図３２】本発明の一実施例による通信ネットワーク制御方法における迂回ルート閾値通知機能について説明するための図である。
【図３３】本発明の一実施例による通信ネットワーク制御方法を説明するための図（その１２）である。
【図３４】本発明の一実施例による通信ネットワーク制御方法における迂回ルート予約設定機能について説明するための図である。
【図３５Ａ】本発明の一実施例による通信ネットワーク制御方法の実際の適用例について説明するための図（その１）である。
【図３５Ｂ】本発明の一実施例による通信ネットワーク制御方法の実際の適用例について説明するための図（その２）である。
【図３６Ａ】本発明の一実施例による通信ネットワーク制御方法の実際の適用例について説明するための図（その３）である。
【図３６Ｂ】本発明の一実施例による通信ネットワーク制御方法の実際の適用例について説明するための図（その４）である。
【図３７Ａ】本発明の一実施例による通信ネットワーク制御方法の実際の適用例について説明するための図（その５）である。
【図３７Ｂ】本発明の一実施例による通信ネットワーク制御方法の実際の適用例について説明するための図（その６）である。
【図３８Ａ】本発明の一実施例による通信ネットワーク制御方法の実際の適用例について説明するための図（その７）である。
【図３８Ｂ】本発明の一実施例による通信ネットワーク制御方法の実際の適用例について説明するための図（その８）である。
【図３９Ａ】本発明の一実施例による通信ネットワーク制御方法の実際の適用例について説明するための図（その９）である。
【図３９Ｂ】本発明の一実施例による通信ネットワーク制御方法の実際の適用例について説明するための図（その１０）である。
【図４０】本発明の一実施例による通信ネットワーク制御方法の実際の適用例について説明するための図（その１１）である。
【図４１Ａ】本発明の一実施例による通信ネットワーク制御方法の実際の適用例について説明するための図（その１２）である。
【図４１Ｂ】本発明の一実施例による通信ネットワーク制御方法の実際の適用例について説明するための図（その１３）である。
【図４２Ａ】本発明の一実施例による通信ネットワーク制御方法の実際の適用例について説明するための図（その１４）である。
【図４２Ｂ】本発明の一実施例による通信ネットワーク制御方法の実際の適用例について説明するための図（その１５）である。
【図４３】本発明の一実施例による通信ネットワーク制御方法の実際の適用例について説明するための図（その１６）である。
【図４４Ａ】本発明の一実施例による通信ネットワーク制御方法の実際の適用例について説明するための図（その１７）である。
【図４４Ｂ】本発明の一実施例による通信ネットワーク制御方法の実際の適用例について説明するための図（その１８）である。
【図４５Ａ】本発明の一実施例による通信ネットワーク制御方法の実際の適用例について説明するための図（その１９）である。
【図４５Ｂ】本発明の一実施例による通信ネットワーク制御方法の実際の適用例について説明するための図（その２０）である。
【図４６Ａ】本発明の一実施例による通信ネットワーク制御方法の実際の適用例について説明するための図（その２１）である。
【図４６Ｂ】本発明の一実施例による通信ネットワーク制御方法の実際の適用例について説明するための図（その２２）である。
【図４７Ａ】本発明の一実施例による通信ネットワーク制御方法の実際の適用例について説明するための図（その２３）である。
【図４７Ｂ】本発明の一実施例による通信ネットワーク制御方法の実際の適用例について説明するための図（その２４）である。
【図４８】本発明の一実施例による通信ネットワーク制御方法において適用可能なＰＭデータの例を説明するための図（その１）である。
【図４９Ａ】本発明の一実施例による通信ネットワーク制御方法において適用可能なＰＭデータの例を説明するための図（その２）である。
【図４９Ｂ】本発明の一実施例による通信ネットワーク制御方法において適用可能なＰＭデータの例を説明するための図（その３）である。
【図４９Ｃ】本発明の一実施例による通信ネットワーク制御方法において適用可能なＰＭデータの例を説明するための図（その４）である。
【図４９Ｄ】本発明の一実施例による通信ネットワーク制御方法において適用可能なＰＭデータの例を説明するための図（その５）である。
【図４９Ｅ】本発明の一実施例による通信ネットワーク制御方法において適用可能なＰＭデータの例を説明するための図（その６）である。
【図５０】本発明の一実施例による通信ネットワーク制御方法を実行するサーバをコンピュータの構成例について説明するための図である。
【符号の説明】
【０２７３】
１００  クライアントコンピュータ
２００  サーバコンピュータ
２５０  データベース
ＴＵ１〜ＴＵ９  伝送装置
【図１】
2009010523.tif 000003
【図２】
2009010523.tif 000004
【図３】
2009010523.tif 000005
【図４】
2009010523.tif 000006
【図５】
2009010523.tif 000007
【図６】
2009010523.tif 000008
【図７】
2009010523.tif 000009
【図８】
2009010523.tif 000010
【図９】
2009010523.tif 000011
【図１０】
2009010523.tif 000012
【図１１】
2009010523.tif 000013
【図１２】
2009010523.tif 000014
【図１３】
2009010523.tif 000015
【図１４】
2009010523.tif 000016
【図１５】
2009010523.tif 000017
【図１６】
2009010523.tif 000018
【図１７】
2009010523.tif 000019
【図１８】
2009010523.tif 000020
【図１９】
2009010523.tif 000021
【図２０】
2009010523.tif 000022
【図２１】
2009010523.tif 000023
【図２２】
2009010523.tif 000024
【図２３】
2009010523.tif 000025
【図２４】
2009010523.tif 000026
【図２５】
2009010523.tif 000027
【図２６】
2009010523.tif 000028
【図２７】
2009010523.tif 000029
【図２８】
2009010523.tif 000030
【図２９】
2009010523.tif 000031
【図３０】
2009010523.tif 000032
【図３１】
2009010523.tif 000033
【図３２】
2009010523.tif 000034
【図３３】
2009010523.tif 000035
【図３４】
2009010523.tif 000036
【図３５Ａ】
2009010523.tif 000037
【図３５Ｂ】
2009010523.tif 000038
【図３６Ａ】
2009010523.tif 000039
【図３６Ｂ】
2009010523.tif 000040
【図３７Ａ】
2009010523.tif 000041
【図３７Ｂ】
2009010523.tif 000042
【図３８Ａ】
2009010523.tif 000043
【図３８Ｂ】
2009010523.tif 000044
【図３９Ａ】
2009010523.tif 000045
【図３９Ｂ】
2009010523.tif 000046
【図４０】
2009010523.tif 000047
【図４１Ａ】
2009010523.tif 000048
【図４１Ｂ】
2009010523.tif 000049
【図４２Ａ】
2009010523.tif 000050
【図４２Ｂ】
2009010523.tif 000051
【図４３】
2009010523.tif 000052
【図４４Ａ】
2009010523.tif 000053
【図４４Ｂ】
2009010523.tif 000054
【図４５Ａ】
2009010523.tif 000055
【図４５Ｂ】
2009010523.tif 000056
【図４６Ａ】
2009010523.tif 000057
【図４６Ｂ】
2009010523.tif 000058
【図４７Ａ】
2009010523.tif 000059
【図４７Ｂ】
2009010523.tif 000060
【図４８】
2009010523.tif 000061
【図４９Ａ】
2009010523.tif 000062
【図４９Ｂ】
2009010523.tif 000063
【図４９Ｃ】
2009010523.tif 000064
【図４９Ｄ】
2009010523.tif 000065
【図４９Ｅ】
2009010523.tif 000066
【図５０】
2009010523.tif 000067